Podtech/llm-jp-corpus-v4-ja_patent huggingface dataset:
【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記金属板材は、遊技媒体に設けられる線材を前記隙間に誘導可能な誘導部を有し、
該誘導部は、屈曲させた前記一方側の先端と、屈曲させていない前記他方側の先端の両方から前記分割線に向かう切欠であり、
さらに、前記金属板材における前記直角方向に屈曲していない非屈曲部の面積は、前記直角方向に屈曲している部位の面積よりも大きい
ことを特徴とする遊技機。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
パチンコ機等の遊技機では、本体枠と扉枠との隙間からピアノ線等の細長い不正工具を遊技領域内に侵入させて、受入口への遊技媒体の受入れを検知するセンサを誤作動させたり、遊技領域内に植設された障害釘を曲げたりする不正行為が行われる問題があった。この問題に対して、扉枠を開閉可能に支持する一対のヒンジ機構の間に、弾性変形可能な板状のガイド部を備え、扉枠と本体枠の間にバール等を挿入して隙間を広げようとしても、弾性変形するガイド部によって隙間を覆って不正工具を挿入することができないようにしたものが提案されている（例えば、特許文献１）。
【手続補正４】
【補正対象書類名】明細書
【補正対象項目名】０００４
【補正方法】変更
【補正の内容】
【０００４】
【特許文献１】特開２００８−７３３４０号公報
【手続補正５】
【補正対象書類名】明細書
【補正対象項目名】０００５
【補正方法】変更
【補正の内容】
【０００５】
しかしながら、従来の遊技機では、線材を取り付けた遊技媒体を、通常の遊技媒体と同様に貯留部から遊技領域内へ発射して行うような不正行為については考慮されていなかった。
【手続補正６】
【補正対象書類名】明細書
【補正対象項目名】０００６
【補正方法】変更
【補正の内容】
【０００６】
そこで、本発明は上記の実情に鑑み、遊技媒体に線材を付着して行われる不正行為を抑止することが可能な遊技機の提供を課題とするものである。
【手続補正７】
【補正対象書類名】明細書
【補正対象項目名】０００７
【補正方法】変更
【補正の内容】
【０００７】
本発明は、
複数の遊技媒体を貯留可能な貯留手段と、
前記貯留手段に貯留された遊技媒体を発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記金属板材は、遊技媒体に設けられる線材を前記隙間に誘導可能な誘導部を有し、
該誘導部は、屈曲させた前記一方側の先端と、屈曲させていない前記他方側の先端の両方から前記分割線に向かう切欠であり、
さらに、前記金属板材における前記直角方向に屈曲していない非屈曲部の面積は、前記直角方向に屈曲している部位の面積よりも大きい
ことを特徴とする。
また、本発明とは別に開示する別発明では、大当たり遊技の実行態様として複数の実行態様が用意されるとともに、それら実行態様のいずれかにて大当たり遊技が行われる遊技機であって、遊技領域に打ち出された遊技球を受け入れ可能な始動口と、前記始動口への遊技球の受け入れに基づいて、大当たりについての当落判定を行う当落判定手段と、前記当落判定の結果として大当たりが当選されると、前記複数の実行態様の少なくともいずれかを各々含む複数の大当たり形態を付与可能な状態とする当選状態制御手段と、前記複数の大当たり形態が付与可能な状態において、それら大当たり形態のいずれかを選択するとともに、該選択された大当たり形態のもとで、当該大当たり形態に含まれている大当たり遊技の実行態様の中から一の実行態様を決定する特定形態処理手段と、前記特定形態処理手段により決定された実行態様にて大当たり遊技を実行する大当たり遊技実行手段と、前記遊技領域に打ち込まれた遊技球が第１受入口及び第２受入口のいずれかに受け入れられるように設けられる受入口手段とを備え、前記特定形態処理手段は、前記第１受入口に遊技球が受け入れられたことに基づいて、前記複数の大当たり形態のうちの特定の大当たり形態を選択し、この特定の大当たり形態に含まれている大当たり遊技の実行態様の中から、第１の所定数量の遊技球が獲得可能とされる実行態様を、相対的に高い確率で決定可能とする基準形態制御手段、及び前記第２受入口に遊技球が受け入れられたことに基づいて、前記複数の大当たり形態のうちの前記特定の大当たり形態とは異なる他の大当たり形態を選択し、この他の大当たり形態に含まれている実行態様の中から、第１の所定数量よりも多い第２の所定数量の遊技球が獲得可能とされる実行態様を、相対的に高い確率で決定可能とする増大形態制御手段を有しており、前記受入口手段は、前記増大形態制御手段により他の大当たり形態が選択される確率が所定値以下となるように前記第２受入口への遊技球の受け入れを基本的には許容せず、且つこの許容しない遊技球を、前記特定の大当たり形態が選択される前記第１受入口へと誘導するように設けられる可動体を有しており、前記可動体は、前記受入口手段に向けて遊技球が打ち出されるタイミングによっては、前記増大形態制御手段により他の大当たり形態が選択される確率が所定値を超える周期性のある動作を行う周期可動体として設けられてなることを要旨とする。
【手続補正８】
【補正対象書類名】明細書
【補正対象項目名】００１０
【補正方法】変更
【補正の内容】
【００１０】
この発明によれば、遊技媒体に線材を付着して行われる不正行為を抑止することが可能な遊技機を提供することができる。
【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記金属板材は、遊技媒体に設けられる線材を前記隙間に誘導可能な誘導部を有し、
該誘導部は、屈曲させた前記一方側の先端と、屈曲させていない前記他方側の先端の両方から前記分割線に向かう切欠であり、
前記通過口の開口縁の一部が前記金属板材における前記隙間と連通している、
ことを特徴とする遊技機。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
パチンコ機等の遊技機では、本体枠と扉枠との隙間からピアノ線等の細長い不正工具を遊技領域内に侵入させて、受入口への遊技媒体の受入れを検知するセンサを誤作動させたり、遊技領域内に植設された障害釘を曲げたりする不正行為が行われる問題があった。この問題に対して、扉枠を開閉可能に支持する一対のヒンジ機構の間に、弾性変形可能な板状のガイド部を備え、扉枠と本体枠の間にバール等を挿入して隙間を広げようとしても、弾性変形するガイド部によって隙間を覆って不正工具を挿入することができないようにしたものが提案されている（例えば、特許文献１）。
【手続補正４】
【補正対象書類名】明細書
【補正対象項目名】０００４
【補正方法】変更
【補正の内容】
【０００４】
【特許文献１】特開２００８−７３３４０号公報
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
しかしながら、従来の遊技機では、線材を取り付けた遊技媒体を、通常の遊技媒体と同様に貯留部から遊技領域内へ発射して行うような不正行為については考慮されていなかった。
【手続補正７】
【補正対象書類名】明細書
【補正対象項目名】０００７
【補正方法】変更
【補正の内容】
【０００７】
そこで、本発明は上記の実情に鑑み、遊技媒体に線材を付着して行われる不正行為を抑止することが可能な遊技機の提供を課題とするものである。
【手続補正８】
【補正対象書類名】明細書
【補正対象項目名】０００８
【補正方法】変更
【補正の内容】
【０００８】
本発明は、
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記金属板材は、遊技媒体に設けられる線材を前記隙間に誘導可能な誘導部を有し、
該誘導部は、屈曲させた前記一方側の先端と、屈曲させていない前記他方側の先端の両方から前記分割線に向かう切欠であり、
前記通過口の開口縁の一部が前記金属板材における前記隙間と連通している、
ことを特徴とする。
また、本発明とは別に開示する別発明では、前記遊技領域に設けられる受入口と、前記受入口への遊技球の受け入れに基づいて、特定条件の成立にかかる当落判定を行う抽選手段と、前記当落判定の結果として前記特定条件が成立したことに基づいて、所定態様で大当たり遊技が実行される当たりが少なくとも属する第１形態と、前記所定態様とは異なる態様で大当たり遊技が実行される当たりが少なくとも属する第２形態とを、少なくとも付与可能な状態とする複形態付与制御手段と、前記第１形態と前記第２形態とが少なくとも付与可能な状態とされたときに、該第１形態又は該第２形態の選択が可能とされる処理を行う選択処理手段と、大当たり遊技の実行態様を、前記選択処理手段にて選択された形態に属する当たりに対応する実行態様に決定する実行態様決定手段と、前記決定手段により決定された実行態様での大当たり遊技を実行する大当たり遊技実行手段と、を備え、前記第２形態には、前記所定態様とは異なる態様で大当たり遊技が実行される当たりとして、遊技者にとっての利益度合が互いに異なる小利益当たり及び大利益当たりが少なくとも属しており、前記選択処理手段は、前記遊技領域に打ち込まれた遊技媒体が振り分けられる振り分け先として、前記第１形態が選択される第１振り分け先と、前記第２形態が選択される第２振り分け先とを有するとともに、これら第１振り分け先及び第２振り分け先のいずれに前記遊技媒体が振り分けられたかを検出する検出手段を有し、前記実行態様決定手段は、前記検出手段による遊技該媒体の検出により前記第１形態が選択されたときには、該第１形態に属する当たりに決定する第１決定手段、及び前記検出手段による遊技該媒体の検出により前記第２形態が選択されたときには、該第２形態に属する遊技者にとっての利益度合が異なる当たりのうち、抽選によりいずれかの当たりに決定する第２決定手段を有し、さらに、前記遊技領域に向けて打ち込まれた遊技媒体が前記第２の振り分け先に振り分けられたときに、ただちに、前記第２形態に属する当たりのうちいずれかの当たりに決定されてしまうことが回避されるように、前記第２の振り分け先に振り分けられた遊技媒体についての前記検出手段による検出を、都度異なる不規則なタイミングで遅延させる不規則遅延手段と、前記遊技領域に向けて打ち込まれた遊技媒体が前記第２の振り分け先に振り分けられたにもかかわらず、該第２の振り分け先に振り分けられた遊技媒体についての前記検出手段による検出が前記不規則遅延手段により遅延されたことによって、別の遊技媒体が前記第１の振り分け先に振り分けられたときに該第１の振り分け先に振り分けられた前記別の遊技媒体についての前記検出手段による検出を回避する第２振分先検出手段と、を備えることを要旨とする。
【手続補正９】
【補正対象書類名】明細書
【補正対象項目名】０００９
【補正方法】変更
【補正の内容】
【０００９】
この発明によれば、遊技媒体に線材を付着して行われる不正行為を抑止することが可能な遊技機を提供することができる。
【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
可変表示を実行し、遊技者にとって有利な有利状態に制御する遊技機であって、
複数種類の演出モードを備え、
前記有利状態に制御するか否かを表示結果が導出表示されるよりも前に決定する事前決定手段と、
可変表示の状態が所定状態になる前または所定状態になった後に、所定の予告画像を表示することによって前記有利状態に制御される可能性を予告する予告演出を実行する予告演出実行手段と、
前記所定の予告画像の少なくとも一部の画像を特定の色彩の画像とするか否かを決定する色彩決定手段とを備え、
前記色彩決定手段は、前記演出モードの種類に応じて、前記特定の色彩の画像が表示されたときの前記有利状態に制御される割合が異なるように前記特定の色彩の画像とするか否かを決定するとともに前記特定の色彩の画像の表示時期を所定状態になる前と所定状態になった後とのいずれにするのかの割合が異なるように決定する
ことを特徴とする遊技機。
【手続補正２】
【補正対象書類名】明細書
【補正対象項目名】０００９
【補正方法】変更
【補正の内容】
【０００９】
（１）本発明による遊技機は、可変表示を実行し、遊技者にとって有利な有利状態（例えば、大当り遊技状態）に制御する遊技機であって、複数種類の演出モード（例えば、演出モードＡ，Ｂ）を備え、有利状態に制御するか否かを表示結果が導出表示されるよりも前に決定する事前決定手段（例えば、遊技制御用マイクロコンピュータ５６０におけるステップＳ６１の処理を実行する部分）と、可変表示の状態が所定状態になる前または所定状態になった後に、所定の予告画像を表示することによって有利状態に制御される可能性を予告する予告演出を実行する予告演出実行手段（例えば、演出制御用マイクロコンピュータ１００におけるステップＳ８３０〜Ｓ８３３の処理を実行する部分）と、予告画像の少なくとも一部の画像を特定の色彩の画像とするか否かを決定する色彩決定手段（例えば、演出制御用マイクロコンピュータ１００におけるステップＳ９１２の処理を実行する部分）とを備え、色彩決定手段は、演出モードの種類に応じて、特定の色彩の画像が表示されたときの有利状態に制御される割合が異なるように特定の色彩の画像とするか否かを決定するとともに（図３６および図３７参照）特定の色彩の画像の表示時期を所定状態になる前と所定状態になった後とのいずれにするのかの割合が異なるように決定する（図３６参照）ことを特徴とする。
そのような構成によれば、遊技の進行状況や演出モードに応じて信頼度を異ならせることができ、遊技の進行状況や演出モードに応じた期待感を遊技者に与えることができる。
また、演出モードの種類を切り替える演出モード切替手段と、特定の色彩の画像の表示時期を演出モードの種類が切り替わるより前にすることを制限する制限手段とを備えていてもよい。
【手続補正３】
【補正対象書類名】明細書
【補正対象項目名】００１０
【補正方法】変更
【補正の内容】
【００１０】
（２）上記（１）の遊技機において、予告画像の少なくとも一部の画像として、特定の色彩の画像と該特定の色彩とは異なる特別の色彩の画像とのいずれかを選択可能な色彩種類選択手段（例えば、演出制御用マイクロコンピュータ１００におけるステップＳ９１２の処理を実行する部分）を備え、色彩種類選択手段は、演出モードの種類、および予告画像の少なくとも一部の画像の表示時期を所定状態になる前とするか所定状態になった後とするかに関わらず、特別の色彩の画像が表示されたときの有利状態に制御される割合が同程度になるように特別の色彩の画像を選択する（図３６および図３７参照）ように構成されていてもよい。
そのような構成によれば、色彩の種類の違いによって遊技の興趣を向上させることができ、また、特別の色彩を使用する予告演出の信頼度は常に同程度出るから遊技者に一定の安心感（この程度の割合で有利状態に制御されるであろうというある程度の信頼感）を与えることができる。
【手続補正４】
【補正対象書類名】明細書
【補正対象項目名】００１１
【補正方法】変更
【補正の内容】
【００１１】
（３）上記（２）の遊技機において、色彩種類選択手段は、一の演出モードにおいて、予告演出の実行時期が所定状態になる前であるのかと、予告演出の実行時期が所定状態になった後であるのかとのうちのいずれかの条件の場合に特定の色彩の画像が表示されたときの有利状態に制御される割合が、特別の色彩の画像が表示されたときの有利状態に制御される割合よりも高くなるように、かつ、上記の条件（図３６および図３７に示す例では、演出モードＡ・リーチ後、または演出モードＢ・リーチ前）とは異なる条件（図３６および図３７に示す例では、演出モードＡ・リーチ前、または演出モードＢ・リーチ後）の場合に特定の色彩の画像が表示されたときの有利状態に制御される割合が、特別の色彩の画像が表示されたときの有利状態に制御される割合よりも低くなるように色彩の種類を選択する（図３７参照）ように構成されていてもよい。
そのような構成によれば、特定の色彩を使用する予告演出の信頼度と特別の色彩を使用する予告演出の信頼度との関係が状況に応じて変わることになり、色彩を使用する予告演出の興趣をさらに向上させることができる。
【手続補正５】
【補正対象書類名】明細書
【補正対象項目名】００１２
【補正方法】変更
【補正の内容】
【００１２】
（４）上記（１）〜（３）の遊技機において、予告演出実行手段は、可変表示の実行中における所定状態になる前と該所定状態になった後とのいずれか一方において１回のみ特定の色彩の画像を使用した予告演出を実行する（図３６参照）ように構成されていてもよい。
そのような構成によれば、特定の色彩を使用する予告演出はリーチ状態になる前とリーチ状態になった後とのいずれかにおいて高々１回しか実行されないので、演出モードと、演出モードに応じた予告演出の実行され易さとの関係に関して、遊技者を混乱させることがないようにすることができる。
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
遊技機の前面側を構成する前扉と、
前記前扉の前面に設けられ、複数の遊技媒体を貯留可能な貯留手段と、
前記前扉の後面に設けられ、前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記金属板材は、遊技媒体に設けられる線材を前記隙間に誘導可能な誘導部を有し、該誘導部は、前記金属板材の先端から前記分割線に向けて斜状に形成され、
前記通過口の開口縁の一部が前記金属板材における前記隙間と連通しており、
前記通過口の、前記発射位置から発射された遊技媒体の進行方向側の所定部位に、前記金属板材が配置され、
さらに、前記金属板材における前記直角方向に屈曲していない非屈曲部の面積は、前記直角方向に屈曲している部位の面積よりも大きく、
前記前扉が閉鎖された状態になると、前記通過口を介して遊技媒体を前記発射位置に送出可能になり、前記発射手段により発射された遊技媒体に設けられた線材を、前記前扉側の前記不正防止部材の前記隙間に誘導可能になる
ことを特徴とする遊技機。
【請求項２】
前記通過口は、遊技媒体が通過可能な第１開口と、遊技媒体が通過不能であり線材が進入可能な第２開口と、が連続して形成されたものである、
ことを特徴とする請求項１に記載の遊技機。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
パチンコ機等の遊技機では、本体枠と扉枠との隙間からピアノ線等の細長い不正工具を遊技領域内に侵入させて、受入口への遊技媒体の受入れを検知するセンサを誤作動させたり、遊技領域内に植設された障害釘を曲げたりする不正行為が行われる問題があった。この問題に対して、扉枠を開閉可能に支持する一対のヒンジ機構の間に、弾性変形可能な板状のガイド部を備え、扉枠と本体枠の間にバール等を挿入して隙間を広げようとしても、弾性変形するガイド部によって隙間を覆って不正工具を挿入することができないようにしたものが提案されている（例えば、特許文献１）。
【手続補正４】
【補正対象書類名】明細書
【補正対象項目名】０００４
【補正方法】変更
【補正の内容】
【０００４】
【特許文献１】特開２００８−７３３４０号公報
【手続補正５】
【補正対象書類名】明細書
【補正対象項目名】０００５
【補正方法】変更
【補正の内容】
【０００５】
しかしながら、従来の遊技機では、線材を取り付けた遊技媒体を、通常の遊技媒体と同様に貯留部から遊技領域内へ発射して行うような不正行為については考慮されていなかった。
【手続補正６】
【補正対象書類名】明細書
【補正対象項目名】０００６
【補正方法】変更
【補正の内容】
【０００６】
この発明は、こうした実情に鑑みてなされたものであり、遊技媒体に線材を付着して行われる不正行為を抑止することが可能な遊技機を提供することを目的する。
【手続補正７】
【補正対象書類名】明細書
【補正対象項目名】０００７
【補正方法】変更
【補正の内容】
【０００７】
本発明は、
遊技機の前面側を構成する前扉と、
前記前扉の前面に設けられ、複数の遊技媒体を貯留可能な貯留手段と、
前記前扉の後面に設けられ、前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記金属板材は、遊技媒体に設けられる線材を前記隙間に誘導可能な誘導部を有し、該誘導部は、前記金属板材の先端から前記分割線に向けて斜状に形成され、
前記通過口の開口縁の一部が前記金属板材における前記隙間と連通しており、
前記通過口の、前記発射位置から発射された遊技媒体の進行方向側の所定部位に、前記金属板材が配置され、
さらに、前記金属板材における前記直角方向に屈曲していない非屈曲部の面積は、前記直角方向に屈曲している部位の面積よりも大きく、
前記前扉が閉鎖された状態になると、前記通過口を介して遊技媒体を前記発射位置に送出可能になり、前記発射手段により発射された遊技媒体に設けられた線材を、前記前扉側の前記不正防止部材の前記隙間に誘導可能になる
ことを特徴とする。
また、本発明とは別に開示する別発明の手段を以下に示す。
手段１：
「遊技者の操作によって遊技媒体が打ち込まれる遊技領域と、
前記遊技領域に設けられる受入口と、
前記受入口に遊技球が受け入れられることに基づいて抽選を行う抽選手段と、
遊技者の操作によって前記遊技領域に打ち込まれた遊技媒体を、選択的に振り分ける振分手段と、
前記抽選手段による抽選の結果が大当りである旨が決定されたのちに、前記振分手段により選択的に振り分けられた振分先に応じて、複数ある前記大当り遊技の態様のうちいずれを実行するかを決定する大当り遊技態様決定手段と、
前記抽選手段による抽選の結果が大当りである旨が決定されたとしても、前記大当り遊技が開始されないよう遊技の進行をとめる遊技とめ手段と、
を備え、
前記遊技とめ手段は、
前記抽選手段による抽選の結果が大当りである旨が決定されたのち、前記複数ある大当り遊技の態様のうちいずれかの大当り態様に決定されるまでの遊技手法を、遊技者に案内する遊技手法案内手段を有し、
前記遊技手法が案内されたのちは、遊技者の意思に基づいて前記大当り遊技を開始させることができるようにされており、
さらに、
前記抽選手段による抽選の結果が大当りである旨が決定されたとしても、該大当りである旨が決定されてから特定時間内に遊技者の操作によって前記遊技領域に遊技媒体が打ち込まれた場合には、大当り遊技態様の決定を回避する態様決定回避手段を備える
ことを特徴とする遊技機。」
【手続補正８】
【補正対象書類名】明細書
【補正対象項目名】００９０
【補正方法】変更
【補正の内容】
【００９０】
この発明によれば、遊技媒体に線材を付着して行われる不正行為を抑止することが可能な遊技機を提供することができる。
【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
気道チューブ（２）と気道チューブの一端に取付けられたマスク（３）とを備え、前記マスク（３）は遠位端（４）と近位端（５）と喉頭口の周辺部の周りに封止を形成可能な周辺構成部（６）とを含み、前記周辺構成部（６）は前記マスク（３）の内部の中空空間または内腔（７）を囲み、前記気道チューブ（２）の穴は前記マスクの前記内腔（７）の中へ開口し、前記気道チューブは、歯の接触部でチューブの局所的変形を許容しながら、患者の歯によって圧力が加わる際に前記穴の断面領域が実質的に維持されるような支持手段（４４）を含み、前記支持手段は、前記気道チューブの内側に挿入部を有し、前記挿入部は、前記気道チューブに接触して支持するように配置された壁を含み、前記壁は、使用時に、患者の歯が咬み合わさる方向に沿う部分に配置された切欠部を有し、前記支持手段は、前記気道チューブの外部スリーブ（４５）を含み、前記スリーブは前記気道チューブ（２）の外周位置において接合された柔軟かつ適合した材料を備え、挿入部（４４）が位置する領域を被覆する、患者の肺の通気を容易にするための人工気道装置（１）。
【請求項２】
前記周辺構成部は膨張可能なカフを備える、先行するいずれかの請求項に記載の装置。
【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
患者の肺の通気を容易にするための人工気道装置（１）であって、少なくとも１つの気道チューブ（２）と、前記気道チューブの一端に取り付けられたマスク（３）と、を備え、前記マスク（３）は、遠位端（４）および近位端（５）、ならびに喉頭口の周辺部の周りに封止を形成可能な周辺構成部（６）を有し、前記周辺構成部（６）はマスクの空洞の内部空間または内腔（７）および前記マスクの前記内腔（７）内に開口する前記少なくとも１つの気道チューブ（２）を囲み、前記マスクは、使用時に食道の物を受けるための導管（８）を有し、前記周辺構成部（６）の外側の表面は、使用時に食道の物の排出を容易にするために用いるためのチャンネル（１０）を規定し、前記チャンネルは、Ｃ字形状またはＵ字形状のチャンネルであって、前記周辺構成部を形成する材料の中および／または当該材料により形成され、前記チャンネルは、前記マスクの前記遠位端から前記マスクの前記近位端の方へ延在し、前記マスクの前記導管（８）と流体連通し、前記周辺構成部は膨張可能カフを備える、人工気道装置。
【請求項２】
前記周辺構成部は、ＰＶＣを備える、請求項１に記載の装置。
【請求項３】
前記チャンネルは、前記マスクの前記遠位端から前記マスクの前記近位端の方へ延在し、且つ前記気道チューブのドレナージチューブと流体連通する、請求項１または２に記載の装置。
【請求項４】
前記チャンネルは前記マスクまたは前記気道チューブの前記ドレナージチューブの延長部分により覆われて、延長部分はそこから前記チャンネルの遠位端の手前まで延在し、実質的に滑らかで丸みのある端で終わる、請求項１から３のいずれか１項に記載の装置。
【請求項５】
前記チャンネルは、前記マスクおよび／または前記気道チューブのドレナージチューブが延長し得る経路を規定することにより、食道の物の排出を容易にする、請求項１に記載の装置。
【請求項６】
前記マスクは、前記近位端から前記遠位端へ、実質的に凸状の湾曲を描く、先行するいずれかの請求項に記載の装置。
【請求項７】
前記マスクの本体は板（１１）を備え、前記板は背部側（２４）と腹部側（２４ａ）を有し、前記背部側は実質的に滑らかで、且つその幅にわたって凸状の湾曲を有する、先行するいずれかの請求項に記載の装置。
【請求項８】
前記気道チューブの背部表面は、その湾曲が、前記板の幅にわたった湾曲に対応する、請求項７に記載の装置。
【請求項９】
前記気道チューブは、マスク体に比べて比較的より硬い材料を備える、先行するいずれかの請求項に記載の装置。
【請求項１０】
前記気道チューブは、使用時に患者の歯が接する部分に接した比較的に柔らかい壁部分を含むよう適合される、先行するいずれかの請求項に記載の装置。
【請求項１１】
前記気道チューブは、背部と腹部の表面を含み、比較的に柔らかい壁部分は前記背部と腹部の表面の一方または両方に配置されている、請求項１０に記載の装置。
【請求項１２】
前記比較的に柔らかい部分は比較的に柔らかい材料を備える、請求項１１に記載の装置。
【請求項１３】
前記比較的に柔らかい部分は、気道チューブの支えのない部分を備える、請求項１１に記載の装置。
【請求項１４】
前記気道チューブは、患者の噛む動作に対して当該気道チューブを支持する咬合阻止部を含み、前記比較的に柔らかい部分は、前記咬合阻止部の切除により提供される、請求項１０から１３のいずれか１項に記載の装置。
【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行う可変表示装置に特定表示結果が導出表示されたときに遊技者にとって有利な有利状態に制御する遊技機であって、
リーチ演出を実行するリーチ演出実行手段と、
遊技者に所定の遊技価値を付与する遊技価値付与手段と
を備え、
前記リーチ演出は、最終停止識別情報として導出表示される識別情報の候補の画像と所定演出を示唆する所定演出示唆画像とが前記可変表示装置に表示される特別リーチ演出を含み、
前記特別リーチ演出が実行された後、最終停止識別情報が導出表示される前に前記所定演出を実行する所定演出実行手段
をさらに備え、
前記遊技価値付与手段は、前記所定演出実行手段により前記所定演出が実行されてから前記有利状態に制御されたときと、前記特別リーチ演出が実行された後前記所定演出が実行されずに前記有利状態に制御されたときとで、異なる割合で遊技価値を付与し、
前記所定演出実行手段は、複数種類の前記所定演出のいずれかを実行可能であり、
前記所定演出の各々に対応して複数種類の前記所定演出示唆画像が定められ、前記特別リーチ演出で表示される前記所定演出示唆画像の組み合わせに応じて異なる割合で前記所定演出が実行され、
異なる遊技機の間で共通に使用可能な共用部材に設けられる複数の状態表示手段により構成されるとともに、該遊技機の遊技の進行に関わる状態を前記状態表示手段の発光態様により報知する状態表示手段と、
前記共用部材に貼付され、前記状態表示手段における前記状態表示手段が報知する状態を示す機能情報が記された機能表示部と
をさらに備え、
前記機能表示部には、該遊技機の機種を識別可能な機種識別情報が記されている
ことを特徴とする遊技機。
【手続補正２】
【補正対象書類名】明細書
【補正対象項目名】００１１
【補正方法】変更
【補正の内容】
【００１１】
（１）本発明による遊技機は、各々を識別可能な複数種類の識別情報（例えば、特別図柄）の可変表示を行う可変表示装置（例えば、特別図柄表示器８ａ，８ｂ）に特定表示結果（例えば、大当り図柄）が導出表示されたときに遊技者にとって有利な有利状態（例えば、大当り遊技状態）に制御する遊技機であって、リーチ演出を実行するリーチ演出実行手段（例えば、演出制御用マイクロコンピュータ１００において、ステップＳ８３１〜Ｓ８３３，Ｓ８４１〜Ｓ８４３の処理を実行する部分）と、遊技者に所定の遊技価値を付与する遊技価値付与手段（例えば、遊技制御用マイクロコンピュータ５６０において、ステップＳ７３，Ｓ１７１Ａの処理を実行する部分）とを備え、リーチ演出は、最終停止識別情報として導出表示される識別情報の候補の画像（例えば、左右の停止図柄と同じ図柄と、左右の停止図柄よりも数字が１つ多い図柄：図４０（Ｃ）参照）と所定演出を示唆する所定演出示唆画像（例えば、キャラクタ図柄９ｂ，９ｃ：図４０（Ｃ）参照）とが可変表示装置に表示される特別リーチ演出を含み（例えば、図４０（Ｃ）に示す演出）、特別リーチ演出が実行された後、最終停止識別情報が導出表示される前に所定演出を実行する所定演出実行手段（例えば、演出制御用マイクロコンピュータ１００において、ステップＳ８２５の処理の結果にもとづいてステップＳ８３１〜Ｓ８３３，Ｓ８４１〜Ｓ８４３の処理を実行する部分）をさらに備え、遊技価値付与手段は、所定演出実行手段により所定演出が実行されてから有利状態に制御されたときと、特別リーチ演出が実行された後所定演出が実行されずに有利状態に制御されたときとで、異なる割合で遊技価値を付与（例えば、図４４，図４５に示すように、通常大当りの場合と確変大当りの場合とで所定演出の実行割合を変えることによって実現される）し、所定演出実行手段は、複数種類の前記所定演出のいずれかを実行可能であり、所定演出の各々に対応して複数種類の所定演出示唆画像が定められ、特別リーチ演出で表示される所定演出示唆画像の組み合わせに応じて異なる割合で所定演出が実行され、異なる遊技機の間で共通に使用可能な共用部材（右下外レール部）に設けられる複数の状態表示手段（状態表示ＬＥＤ３００ａ、ＬＥＤ３００ｂ、ＬＥＤ３００ｃ、ＬＥＤ３００ｄ）により構成されるとともに、該遊技機の遊技の進行に関わる状態を状態表示手段の発光態様により報知する状態表示手段（状態表示部）と、共用部材に貼付され、状態表示手段における状態表示手段が報知する状態を示す機能情報（例えば、状態表示ＬＥＤ３００ａの近傍に記される「１５Ｒ」など）が記された機能表示部とをさらに備え、機能表示部には、該遊技機の機種を識別可能な機種識別情報（機種を示す管理情報）が記されていることを特徴とする。そのような構成によれば、所定演出に対して、より遊技者を注目させることができる。
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
物体を検出する物体検出プログラムであって、
コンピュータを、
画像取得部で撮影された物体の静止画像から対象の物体を検出し、当該静止画像から抽出した領域について色成分に関するヒストグラムをテンプレートとして作成する参照情報作成部、
画像取得部で撮影された動画像を構成する複数のフレーム画像のうち探索対象のフレーム画像と上記参照情報作成部で作成されたテンプレートとに基づいて、探索対象のフレーム画像から物体領域を検出する検出処理部、
として機能させ、
上記検出処理部は遺伝的アルゴリズムに基づいて以下の処理(α１)〜(α４)を行って物体の姿勢が変化しても物体領域を検索することを特徴とする、物体検出プログラム。
(α１)探索対象の画像の中で物体領域を特定するパラメータを含む個体をＮ個生成する。
(α２)各個体の染色体のパラメータで特定される物体領域の色成分に関するヒストグラムをそれぞれ作成し、これらのヒストグラムと参照情報作成部で作成されたテンプレートとの一致度を適応度関数によって評価する。
(α３)Ｎ個の個体に対する選択，交叉，突然変異に基づいた遺伝的操作によって新たな個体をＮ個生成する。
(α４)世代交代限度まで、上記（α２）と（α３）とを繰り返し、最終世代の個体の内、適応度が最も高い個体のパラメータを解とし、当該解によって特定される領域を物体領域と判断する。
【請求項２】
前記検出処理部は、次のフレーム画像について前記遺伝的アルゴリズムの処理を開始する際、前のフレーム画像についての前記遺伝的アルゴリズムの処理で得られたＮ個の個体の染色体を利用することを特徴とする、請求項１に記載の物体検出プログラム。
【請求項３】
前記コンピュータを、さらに
前記テンプレートを別のテンプレートに更新する参照情報更新部として機能させ、
前記参照情報更新部は複数のフレーム画像に亘って物体領域のヒストグラムが同じか又はその差が小さいときに、当該ヒストグラムを前記テンプレートに設定することを特徴とする、請求項１又は２に記載の物体検出プログラム。
【請求項４】
検出対象の物体が顔であり、
前記ヒストグラムが、Ｃｒ成分のみ、Ｃｂ成分のみ、Ｃｒ成分及びＣｂ成分、又はこれらの何れかとＹ成分の組み合わせで構成される、請求項１乃至３の何れかに記載の物体検出プログラム。
【請求項５】
請求項１乃至４の何れかに記載の顔追跡プログラムをコンピュータにインストールして構成した、顔検出装置。
【手続補正２】
【補正対象書類名】明細書
【補正対象項目名】００１０
【補正方法】変更
【補正の内容】
【００１０】
上記目的を達成するために、本発明は、
物体を検出する物体検出プログラムであって、
コンピュータを、
画像取得部で撮影された物体の静止画像から対象の物体を検出し、当該静止画像から抽出した領域について色成分に関するヒストグラムをテンプレートとして作成する参照情報作成部、
画像取得部で撮影された動画像を構成する複数のフレーム画像のうち探索対象のフレーム画像と上記参照情報作成部で作成されたテンプレートとに基づいて、探索対象のフレーム画像から物体領域を検出する検出処理部、
として機能させ、
上記検出処理部は遺伝的アルゴリズムに基づいて以下の処理(α１)〜(α４)を行って物体の姿勢が変化しても物体領域を検索することを特徴とする。
(α１)探索対象の画像の中で物体領域を特定するパラメータを含む個体をＮ個生成する。
(α２)各個体の染色体のパラメータで特定される物体領域の色成分に関するヒストグラムをそれぞれ作成し、これらのヒストグラムと参照情報作成部で作成されたテンプレートとの一致度を適応度関数によって評価する。
(α３)Ｎ個の個体に対する選択，交叉，突然変異に基づいた遺伝的操作によって新たな個体をＮ個生成する。
(α４)世代交代限度まで、上記（α２）と（α３）とを繰り返し、最終世代の個体の内、適応度が最も高い個体のパラメータを解とし、当該解によって特定される領域を物体領域と判断する。
【手続補正３】
【補正対象書類名】明細書
【補正対象項目名】００１３
【補正方法】変更
【補正の内容】
【００１３】
本発明の物体検出プログラムは、前記コンピュータを、好ましくは、さらに、前記テンプレートを別のテンプレートに更新する参照情報更新部として機能させ、前記参照情報更新部は例えば複数のフレーム画像に亘って物体領域のヒストグラムが同じか又はその差が小さいときに、当該ヒストグラムを前記テンプレートに設定する。本発明の物体検出プログラムにおいて、好ましくは、検出対象の物体が顔であり、前記ヒストグラムが、Ｃｒ成分のみ、Ｃｂ成分のみ、Ｃｒ成分及びＣｂ成分、又はこれらの何れかとＹ成分の組み合わせで構成される。
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
再生可能なシリコ−アルミノ−ホスフェート（ＳＡＰＯ）を吸着剤として有する吸着容器を含み、余熱及び／または吸着熱を利用することによる熱管理を伴った乾燥装置であって、
前記乾燥装置が食器洗浄機または回転式乾燥機である、乾燥装置。
【請求項２】
前記シリコ−アルミノ−ホスフェートは、細孔性のシリコ−アルミノ−ホスフェート（ＳＡＰＯ）である、請求項１に記載の乾燥装置。
【請求項３】
前記シリコ−アルミノ−ホスフェートは、ＣＨＡ構造を有する細孔性のアルミノ−ホスフェートである、請求項２に記載の乾燥装置。
【請求項４】
前記シリコ−アルミノ−ホスフェートは、ＳＡＰＯ−５、ＳＡＰＯ−８、ＳＡＰＯ−１１、ＳＡＰＯ−１６、ＳＡＰＯ−１７、ＳＡＰＯ−１８、ＳＡＰＯ−２０、ＳＡＰＯ−３１、ＳＡＰＯ−３４、ＳＡＰＯ−３５、ＳＡＰＯ−３６、ＳＡＰＯ−３７、ＳＡＰＯ−４０、ＳＡＰＯ−４１、ＳＡＰＯ−４２、ＳＡＰＯ−４４、ＳＡＰＯ−４７またはＳＡＰＯ−５６型の細孔性のシリコ−アルミノ−ホスフェート（ＳＡＰＯ）である、請求項２または３に記載の乾燥装置。
【請求項５】
前記シリコ−アルミノ−ホスフェートは、ＳＡＰＯ−５、ＳＡＰＯ−１１またはＳＡＰＯ−３４型の細孔性のシリコ−アルミノ−ホスフェート（ＳＡＰＯ）である、請求項４に記載の乾燥装置。
【請求項６】
前記シリコ−アルミノ−ホスフェートは、ＳＡＰＯ−３４型の細孔性のシリコ−アルミノ−ホスフェート（ＳＡＰＯ）である、請求項５に記載の乾燥装置。
【請求項７】
前記シリコ−アルミノ−ホスフェートは、ケイ素、チタン、鉄、マンガン、コバルト、銅、クロム、亜鉛およびニッケルから選択される少なくとも１つのさらなる金属を含むことを特徴とする、請求項１〜６のいずれか１項に記載の乾燥装置。
【請求項８】
前記シリコ−アルミノ−ホスフェートにおけるＳｉ／（Ａｌ、Ｐ）の比率が０．０１：１から０．５：１までである、請求項１〜７のいずれか１項に記載の乾燥装置。
【請求項９】
前記シリコ−アルミノ−ホスフェートにおけるＳｉ／（Ａｌ、Ｐ）の比率が０．０２：１から０．１：１までである、請求項８に記載の乾燥装置。
【請求項１０】
請求項１〜９のいずれか１項に記載の乾燥装置を用いて、残留水分を伴った対象物および器具を乾燥するための方法であって、下記工程：
ａ）乾燥しようとする残留水分を伴った対象物を提供する工程；
ｂ）吸着装置中のアルミノ−ホスフェートによって残留水分を吸収し、含水のアルミノ−ホスフェートを得る工程；
ｃ）乾燥された対象物を得る工程
を含む、方法。
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
鉛直方向における一端で上部構造物に、鉛直方向における他端で基礎又は下部構造物に夫々取り付けられると共に上部構造物の基礎又は下部構造物に対する震動を免震する免震装置と、水平方向における一端で上部構造物に、水平方向における他端で免震装置の一端及び他端間の部位に夫々連結されていると共に水平方向における伸縮で上部構造物の基礎又は下部構造物に対する震動を減衰する一の減衰ダンパと、水平方向における一端で基礎又は下部構造物に、水平方向における他端で免震装置の一端及び他端間の部位に夫々連結されていると共に水平方向における伸縮で上部構造物の基礎又は下部構造物に対する震動を減衰する他の一の減衰ダンパとを具備しており、一の減衰ダンパ及び他の一の減衰ダンパは、上部構造物の基礎又は下部構造物に対する水平方向であって一の方向の震動において同時に伸縮による減衰力が生じるように、前記一の方向に夫々伸びて配されており、一の減衰ダンパ及び他の一の減衰ダンパは、水平方向に直列に配されている免震機構。
【請求項２】
一の減衰ダンパ及び他の一の減衰ダンパの夫々は、シリンダ本体と、このシリンダ本体を二室に画成するように、シリンダ本体内に配されているピストンと、該二室を互いに連通するオリフィス通路と、一端部がピストンに連結されていると共にシリンダ本体の一端部を貫通してシリンダ本体外に突出された一方のピストンロッドと、一端部がピストンに連結されていると共にシリンダ本体の他端部を貫通してシリンダ本体外に突出された他方のピストンロッドと、シリンダ本体の二室に充填された流体とを具備している請求項１に記載の免震機構。
【請求項３】
一の減衰ダンパのシリンダ本体は、上部構造物に連結されており、一の減衰ダンパのシリンダ本体の他端部を貫通してシリンダ本体外に突出された他方のピストンロッドは、免震装置の一端及び他端間の部位に連結されており、他の一の減衰ダンパのシリンダ本体は、基礎又は下部構造物に連結されており、他の一の減衰ダンパのシリンダ本体の他端部を貫通してシリンダ本体外に突出された他方のピストンロッドは、免震装置の一端及び他端間の部位に連結されている請求項２に記載の免震機構。
【請求項４】
免震装置は、ゴム弾性層と硬質板層とを交互に積層してなる少なくとも一つの積層ゴム体を有する積層ゴム免震装置を具備している請求項１から３のいずれか一項に記載の免震機構。
【請求項５】
積層ゴム免震装置は、少なくとも二つの積層ゴム体を具備しており、二つの積層ゴム体のうちの一方の積層ゴム体は、上部構造物に取り付けられており、二つの積層ゴム体のうちの他方の積層ゴム体は、基礎又は下部構造物に取り付けられており、二つの積層ゴム体間には一の減衰ダンパ及び他の一の減衰ダンパの夫々の他端が連結される連結部材が介在されている請求項４に記載の免震機構。
【請求項６】
免震装置は、滑り部材と受け板とを互いに水平方向に関して摺動自在に接触させてなる少なくとも一つの滑り免震体を有する滑り免震装置を具備しており、この滑り免震装置は、鉛直方向において二つの積層ゴム体の間に介在されている請求項５に記載の免震機構。
【請求項７】
滑り免震装置は、少なくとも二つの滑り免震体を具備しており、この二つの滑り免震体のうちの一方の滑り免震体は、鉛直方向において一方の積層ゴム体と連結部材との間に介在されており、二つの滑り免震体のうちの他方の滑り免震体は、鉛直方向において連結部材と他方の積層ゴム体との間に介在されている請求項６に記載の免震機構。
【請求項８】
免震装置は、滑り部材と水平方向に関して摺動自在に接触する受け板とを互いに水平方向に関して摺動自在に接触させてなる少なくとも一つの滑り免震体を有する滑り免震装置を具備している請求項１から３のいずれか一項に記載の免震機構。
【請求項９】
滑り免震装置は、少なくとも二つの滑り免震体を具備しており、二つの滑り免震体のうちの一方の滑り免震体は、上部構造物に取り付けられており、二つの滑り免震体のうちの他方の滑り免震体は、基礎又は下部構造物に取り付けられており、二つの滑り免震体間には一の減衰ダンパ及び他の一の減衰ダンパの夫々の他端が連結される連結部材が介在されている請求項８に記載の免震機構。
【請求項１０】
免震装置は、ゴム弾性層と硬質板層とを交互に積層してなる少なくとも一つの積層ゴム体を有する積層ゴム免震装置を具備しており、この積層ゴム免震装置は、鉛直方向において二つの滑り免震体の間に介在されている請求項９に記載の免震機構。
【請求項１１】
積層ゴム免震装置は、少なくとも二つの積層ゴム体を具備しており、この二つの積層ゴム体のうちの一方の積層ゴム体は、鉛直方向において一方の滑り免震体と連結部材との間に介在されており、二つの積層ゴム体のうちの他方の積層ゴム体は、鉛直方向において連結部材と他方の滑り免震体との間に介在されている請求項１０に記載の免震機構。
【請求項１２】
二つの滑り免震体の夫々の滑り部材と受け板とは、上部構造物の基礎又は下部構造物に対する水平方向の相対的な変位において、一定以下のその変位では、二つの積層ゴム体の夫々に水平方向の剪断変形を生じさせる一方、当該滑り部材と受け板との間に水平方向の滑りを生じさせないようにし、一定以上のその変位では、当該滑り部材と受け板との間に水平方向の滑りを生じさせる摩擦抵抗を互いに接触する面に発生するようになっている請求項１０又は１１に記載の免震機構。
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
神経学的状態を検出するための方法であって、
生物試料中の１つ以上のニューロン特異的バイオマーカーの量を測定する工程、ここで、前記ニューロン特異的バイオマーカーはタウ、タウの分解産物、または、タウまたはその分解産物に対する自己抗体である、および、
前記生物試料中の１つ以上の前記バイオマーカーの量の比率に基づいて神経学的状態を検出する工程、
を含む方法。
【請求項２】
前記状態が、脳損傷、多臓器損傷、脳卒中、アルツハイマー病、パーキンソン病および慢性外傷性脳症（ＣＴＥ）を含めた神経変性疾患またはこれらの組合せを含む群から選択される、請求項１に記載の方法。
【請求項３】
前記バイオマーカーが、Ｃ末端〜アミノ酸２５、４４、１２９、１５７、２２９、４２１での切断またはこれらの組合せによるヒトタウ（配列番号１１）分解産物である、請求項１に記載の方法。
【請求項４】
前記バイオマーカーが、Ｃ末端〜アミノ酸４３、１２０、２２０、３７０、４１２での切断またはこれらの組合せによるラットタウ（配列番号５）の分解産物である、請求項１に記載の方法。
【請求項５】
前記比率が、コントロール対象における前記バイオマーカーの濃度に対する前記損傷後の前記バイオマーカーの濃度である、請求項１に記載の方法。
【請求項６】
前記生物試料が、血液、血清、血漿、ＣＳＦ、尿、唾液または組織である、請求項１に記載の方法。
【請求項７】
対象における外傷性脳損傷を診断する方法であって、
衝撃後に対象から生物試料を採取する工程、
前記生物試料中の１つ以上の神経学的状態のバイオマーカーの量を測定する工程、ここで、前記バイオマーカーが、タウ、タウの分解産物、または、タウまたはその分解産物に対する自己抗体である、および、
コントロール対象と比べた前記生物試料中の前記バイオマーカーの量の変化に基づき外傷性脳損傷を診断する工程、
を含む方法。
【請求項８】
前記生物試料が、全血、血漿、血清、ＣＳＦ、尿、唾液または組織である、請求項７に記載の方法。
【請求項９】
ヒトタウ分解産物の検出試薬であって、２５位、４４位、１２９位、１５７位、２２９位または４２１位のアミノ酸における切断部位から１０アミノ酸以内でヒトタウ（配列番号１１）アミノ配列と結合する検出試薬。
【請求項１０】
Ｃ末端〜Ｓｅｒ１２９の１０アミノ酸以内、Ｎ末端〜Ｖａｌ２２９の１０アミノ酸以内、Ｎ末端〜Ａｓｐ４２１の１０アミノ酸以内、Ｃ末端〜Ｌｙｓ４４の１０アミノ酸以内、Ｎ末端〜Ｓｅｒ１２９の１０アミノ酸以内、Ｃ末端〜２５位アミノ酸の１０アミノ酸以内、Ｎ末端〜２５位の１０アミノ酸以内、Ｎ末端〜１５７位の１０アミノ酸以内、Ｃ末端〜１５７位の１０アミノ酸以内、Ｎ末端〜Ｌｙｓ４４の１０アミノ酸以内、Ｃ末端〜Ｖａｌ２２９の１０アミノ酸以内、Ｃ末端〜Ａｓｐ４２１の１０アミノ酸以内でアミノ酸配列と結合する、請求項９に記載の検出試薬。
【請求項１１】
配列番号２０、２１、２４、２５、２６、２７、３０、３１、３２、３３、３４、３５、３６、３７、３８、３９、４０、４１、４２、４３または４４の少なくとも一部分であるアミノ酸配列と結合する、請求項９に記載の検出試薬。
【請求項１２】
配列番号１２５、１２６、１２７、１２８、１２９、１３０、１３１、１３２、１３３、１３４、１３５、１３６、１３７または１３８の少なくとも一部分と結合する、ヒトタウ分解産物の検出試薬。
【請求項１３】
４３位、１２１位、２２９位、３８位または４１２位のアミノ酸における切断部位から１０アミノ酸以内でラットタウ（配列番号５）アミノ配列と結合する、ラットタウ分解産物の検出試薬。
【請求項１４】
前記検出試薬が、Ｎ末端〜Ａｓｐ４２１の１０アミノ酸以内、Ｎ末端〜Ｖａｌ２２０の１０アミノ酸以内、Ｃ末端〜Ｓｅｒ１２０の１０アミノ酸以内、Ｃ末端〜Ｌｙｓ４３の１０アミノ酸以内またはＣ末端〜Ａｒｇ３７０の１０アミノ酸以内でアミノ酸配列と結合する、請求項１３に記載の検出試薬。
【請求項１５】
配列番号２０、２１、２２、２３、２４、２５、２６、２７、２８、２９、３８、３９、４０または４１の少なくとも１つの少なくとも一部分であるアミノ酸配列と結合する、請求項１３に記載の検出試薬。
【請求項１６】
配列番号１１５、１１６、１１７、１１８、１１９、１２０、１２１、１２２、１２３または１２４の少なくとも一部分と結合する、ラットタウ分解産物の検出試薬。